【手続補正書】
【提出日】平成16年4月30日(2004.4.30)
【手続補正１】
【補正対象書類名】明細書
【補正対象項目名】特許請求の範囲
【補正方法】変更
【補正の内容】
【特許請求の範囲】
【請求項１】
オーディオ情報および／または映像情報に、前記オーディオ情報および／または映像情報を取得する場に居る参加者の生体情報を多重して伝送する情報伝送方法。
【請求項２】
請求項１に記載の情報伝送方法において、
上記参加者は、前記オーディオ情報の提供元となる発声者、演奏者や演技者あるいは指揮者および／または前記映像中に含まれる出演者や被撮影者であることを特徴とする情報伝送方法。
【請求項３】
請求項１に記載の情報伝送方法において、
上記参加者は、前記オーディオ情報を取得する場に居る聴取者および／または前記映像情報を取得する場に居る観視者であることを特徴とする情報伝送方法。
【請求項４】
請求項１に記載の情報伝送方法において、
前記生体情報は、当該生体情報が生起されたタイミングに対応する前記オーディオ情報および／または映像情報に対応付けて伝送されることを特徴とする情報伝送方法。
【請求項５】
請求項４に記載の情報伝送方法において、
前記オーディオ情報および／または映像情報と前記生体情報とを、同じ所定時間長の区間ごとに区切り、
前記区切った生体情報を、対応する所定時間長区間のオーディオ情報および／または映像情報に同期して伝送することを特徴とする情報伝送方法。
【請求項６】
請求項４に記載の情報伝送方法において、
前記オーディオ情報および／または映像情報を、所定時間長の区間ごとに区切り、
前記生体情報を、前記所定時間長の複数区間において統計処理して、統計生体情報を算出し、
前記統計生体情報を、対応する前記所定時間長の複数区間のオーディオ情報および／または映像情報に同期して伝送することを特徴とする情報伝送方法。
【請求項７】
請求項１に記載の情報伝送方法において、
前記生体情報は、体動、筋電、体表温度、皮膚発汗、皮膚抵抗、脈、呼吸、マイクロバイブレーション、心電、心拍、血圧のうちの少なくとも一つであることを特徴とする情報伝送方法。
【請求項８】
請求項１に記載の情報伝送方法において、
前記生体情報は、オーディオ情報および／または映像情報から抽出され、前記オーディオ情報および／または映像情報とともに伝送されることを特徴とする情報伝送方法。
【請求項９】
オーディオ情報および／または映像情報を取得する情報取得手段と、
前記オーディオ情報および／または映像情報を取得する場に居る参加者の生体情報を検出する生体情報検出手段と、
前記情報取得手段から得られたオーディオ情報および／または映像情報と、前記生体情報検出手段から得られた生体情報とを伝送する伝送手段と
を備えることを特徴とする情報伝送装置。
【請求項１０】
請求項９に記載の情報伝送装置において、
上記参加者は、前記オーディオ情報の提供元となる発声者、演奏者や演技者あるいは指揮者および／または前記映像中に含まれる出演者や被撮影者であることを特徴とする情報伝送装置。
【請求項１１】
請求項９に記載の情報伝送装置において、
上記参加者は、前記オーディオ情報を取得する場に居る聴取者および／または前記映像情報を取得する場に居る観視者であることを特徴とする情報伝送装置。
【請求項１２】
請求項９に記載の情報伝送装置において、
前記伝送手段は、前記生体情報を、当該生体情報が生起されたタイミングに対応する前記オーディオ情報および／または映像情報とともに伝送することを特徴とする情報伝送装置。
【請求項１３】
請求項１２に記載の情報伝送装置において、
前記伝送手段は、前記オーディオ情報および／または映像情報と前記生体情報を、同じ所定時間長の区間ごとに区切り、この区切った生体情報を、対応する所定時間長区間のオーディオ情報および／または映像情報に同期して伝送することを特徴とする情報伝送装置。
【請求項１４】
請求項１２に記載の情報伝送装置において、
前記伝送手段は、前記オーディオ情報および／または映像情報を所定時間長の区間ごとに区切り、前記生体情報を前記所定時間長の複数区間において統計処理して統計生体情報を算出し、この統計生体情報を、対応する前記所定時間長の複数区間のオーディオ情報および／または映像情報に同期して伝送することを特徴とする情報伝送装置。
【請求項１５】
請求項９に記載の情報伝送装置において、
前記生体情報は、体動、筋電、体表温度、皮膚発汗、皮膚抵抗、脈、呼吸、マイクロバイブレーション、心電、心拍、血圧のうちの少なくとも一つであることを特徴とする情報伝送装置。
【請求項１６】
請求項９に記載の情報伝送装置において、
前記生体情報検出手段は、オーディオ情報および／または映像情報から前記生体情報を抽出することを特徴とする情報伝送装置。
【請求項１７】
オーディオ情報および／または映像情報と、前記オーディオ情報および／または映像情報を取得する場に居る参加者の生体情報とを、所定の記録媒体に記録することを特徴とする情報記録方法。
【請求項１８】
請求項１７に記載の情報記録方法において、
上記参加者は、前記オーディオ情報の提供元となる発声者、演奏者や演技者あるいは指揮者および／または前記映像中に含まれる出演者や被撮影者であることを特徴とする情報記録方法。
【請求項１９】
請求項１７に記載の情報記録方法において、
上記参加者は、前記オーディオ情報を取得する場に居る聴取者および／または前記映像情報を取得する場に居る観視者であることを特徴とする情報記録方法。
【請求項２０】
請求項１７に記載の情報記録方法において、
前記生体情報は、当該生体情報が生起されたタイミングに対応する前記オーディオ情報および／または映像情報とともに記録されることを特徴とする情報記録方法。
【請求項２１】
請求項２０に記載の情報記録方法において、
前記オーディオ情報および／または映像情報と前記生体情報を、同じ所定時間長の区間ごとに区切り、
前記区切った生体情報を、対応する所定時間長区間のオーディオ情報および／または映像情報とともに記録することを特徴とする情報記録方法。
【請求項２２】
請求項２０に記載の情報記録方法において、
前記オーディオ情報および／または映像情報を、所定時間長の区間ごとに区切り、
前記生体情報を、前記所定時間長の複数区間において統計処理して、統計生体情報を算出し、
前記統計生体情報を、対応する前記所定時間長の複数区間のオーディオ情報および／または映像情報とともに記録することを特徴とする情報記録方法。
【請求項２３】
請求項１７に記載の情報記録方法において、
前記生体情報は、体動、筋電、体表温度、皮膚発汗、皮膚抵抗、脈、呼吸、マイクロバイブレーション、心電、心拍、血圧のうちの少なくとも一つであることを特徴とする情報記録方法。
【請求項２４】
請求項１７に記載の情報記録方法において、
前記記録媒体は、光ディスク、磁気テープ、ハードディスク、半導体メモリの中の少なくとも一つであることを特徴とする情報記録方法。
【請求項２５】
請求項１７に記載の情報記録方法において、
前記生体情報は、オーディオ情報および／または映像情報から抽出され、前記オーディオ情報および／または映像情報とともに記録されることを特徴とする情報記録方法。
【請求項２６】
オーディオ情報および／または映像情報を取得する情報取得手段と、
前記オーディオ情報および／または映像情報を取得する場に居る参加者の生体情報を検出する生体情報検出手段と、
前記情報取得手段から得られたオーディオ情報および／または映像情報と、前記生体情報検出手段から得られた生体情報とを所定の記録媒体に記録する記録手段と
を備えることを特徴とする情報記録装置。
【請求項２７】
請求項２６に記載の情報記録装置において、
上記参加者は、前記オーディオ情報の提供元となる発声者、演奏者や演技者あるいは指揮者および／または前記映像中に含まれる出演者や被撮影者であることを特徴とする情報記録装置。
【請求項２８】
請求項２６に記載の情報記録装置において、
上記参加者は、前記オーディオ情報を取得する場に居る聴取者および／または前記映像情報を取得する場に居る観視者であることを特徴とする情報記録装置。
【請求項２９】
請求項２６に記載の情報記録装置において、
前記記録手段は、前記生体情報を、当該生体情報が生起されたタイミングに対応する前記オーディオ情報および／または映像情報とともに前記記録媒体に記録することを特徴とする情報記録装置。
【請求項３０】
請求項２９に記載の情報記録装置において、
前記記録手段は、前記オーディオ情報および／または映像情報と前記生体情報とを、同じ所定時間長の区間ごとに区切り、この区切った生体情報を、対応する所定時間長区間のオーディオ情報および／または映像情報とともに記録することを特徴とする情報記録装置。
【請求項３１】
請求項２９に記載の情報記録装置において、
前記記録手段は、前記オーディオ情報および／または映像情報を所定時間長の区間ごとに区切り、前記生体情報を前記所定時間長の複数区間において統計処理して統計生体情報を算出し、この統計生体情報を、対応する前記所定時間長の複数区間のオーディオ情報および／または映像情報とともに記録することを特徴とする情報記録装置。
【請求項３２】
請求項２６に記載の情報記録装置において、
前記生体情報は、体動、筋電、体表温度、皮膚発汗、皮膚抵抗、脈、呼吸、マイクロバイブレーション、心電、心拍、血圧のうちの少なくとも一つであることを特徴とする情報記録装置。
【請求項３３】
請求項２６に記載の情報記録装置において、
前記記録媒体は、光ディスク、磁気テープ、ハードディスク、半導体メモリの中の少なくとも一つであることを特徴とする情報記録装置。
【請求項３４】
請求項２６に記載の情報記録装置において、
前記生体情報検出手段は、前記オーディオ情報および／または映像情報から前記生体情報を抽出することを特徴とする情報記録装置。
【請求項３５】
オーディオ情報および／または映像情報を再生してユーザに提供すると共に、
前記オーディオ情報および／または映像情報を取得する場に居た参加者の生体情報に基づいた感覚刺激を、前記ユーザに対して与えることを特徴とする情報再生方法。
【請求項３６】
請求項３５に記載の情報再生方法において、
前記オーディオ情報および／または映像情報と、前記生体情報とは、伝送媒体を介して受信されることを特徴とする情報再生方法。
【請求項３７】
請求項３５に記載の情報再生方法において、
前記オーディオ情報および／または映像情報と、前記生体情報とは、記録媒体から読み出されることを特徴とする情報再生方法。
【請求項３８】
請求項３５に記載の情報再生方法において、
上記参加者は、前記オーディオ情報の提供元となる発声者、演奏者や演技者あるいは指揮者および／または前記映像中に含まれる出演者や被撮影者であることを特徴とする情報再生方法。
【請求項３９】
請求項３５に記載の情報再生方法において、
上記参加者は、前記オーディオ情報を取得する場に居た聴取者および／または前記映像情報を取得する場に居た観視者であることを特徴とする情報再生方法。
【請求項４０】
オーディオ情報および／または映像情報を取得する場に居た参加者の生体情報に基づいて、前記オーディオ情報および／または前記映像情報を制御して再生することを特徴とする情報再生方法。
【請求項４１】
請求項４０に記載の情報再生方法において、
前記オーディオ情報および／または映像情報と、前記生体情報とは、伝送媒体を介して受信されることを特徴とする情報再生方法。
【請求項４２】
請求項４０に記載の情報再生方法において、
前記オーディオ情報および／または映像情報と、前記生体情報とは、記録媒体から読み出されることを特徴とする情報再生方法。
【請求項４３】
請求項４０に記載の情報再生方法において、
上記参加者は、前記オーディオ情報の提供元となる発声者、演奏者や演技者あるいは指揮者および／または前記映像中に含まれる出演者や被撮影者であることを特徴とする情報再生方法。
【請求項４４】
請求項４０に記載の情報再生方法において、
上記参加者は、前記オーディオ情報を取得する場に居た聴取者および／または前記映像情報を取得する場に居た観視者であることを特徴とする情報再生方法。
【請求項４５】
オーディオ情報および／または映像情報を再生してユーザに提供する手段と、
前記オーディオ情報および／または映像情報を取得する場に居た参加者の生体情報に基づいた感覚刺激を、前記ユーザに対して与える手段と
を備えることを特徴とする情報再生装置。
【請求項４６】
請求項４５に記載の情報再生装置において、
前記オーディオ情報および／または映像情報と、前記生体情報とを、伝送媒体を介して受信する受信手段を備えることを特徴とする情報再生装置。
【請求項４７】
請求項４５に記載の情報再生装置において、
前記オーディオ情報および／または映像情報と、前記生体情報とを、記録媒体から読み出す手段を備えることを特徴とする情報再生装置。
【請求項４８】
請求項４５に記載の情報再生装置において、
上記参加者は、前記オーディオ情報の提供元となる発声者、演奏者や演技者あるいは指揮者および／または前記映像中に含まれる出演者や被撮影者であることを特徴とする情報再生装置。
【請求項４９】
請求項４５に記載の情報再生装置において、
上記参加者は、前記オーディオ情報を取得する場に居た聴取者および／または前記映像情報を取得する場に居た観視者であることを特徴とする情報再生装置。
【請求項５０】
オーディオ情報および／または映像情報を取得する場に居た参加者の生体情報に基づいて、前記オーディオ情報および／または前記映像情報を制御して再生する再生手段を備えることを特徴とする情報再生装置。
【請求項５１】
請求項５０に記載の情報再生装置において、
前記オーディオ情報および／または映像情報と、前記生体情報とを、伝送媒体を介して受信する受信手段を備えることを特徴とする情報再生装置。
【請求項５２】
請求項５０に記載の情報再生装置において、
前記オーディオ情報および／または映像情報と、前記生体情報とを、記録媒体から読み出す手段を備えることを特徴とする情報再生装置。
【請求項５３】
請求項５０に記載の情報再生装置において、
上記参加者は、前記オーディオ情報の提供元となる発声者、演奏者や演技者あるいは指揮者および／または前記映像中に含まれる出演者や被撮影者であることを特徴とする情報再生装置。
【請求項５４】
請求項５０に記載の情報再生装置において、
上記参加者は、前記オーディオ情報を取得する場に居た聴取者および／または前記映像情報を取得する場に居た観視者であることを特徴とする情報再生装置。
【請求項５５】
オーディオ情報および／または映像情報と、前記オーディオ情報および／または映像情報を取得する場に居た参加者の生体情報とが記録された記録媒体。
【請求項５６】
請求項５５に記載の記録媒体において、
上記参加者は、前記オーディオ情報の提供元となる発声者、演奏者や演技者あるいは指揮者および／または前記映像中に含まれる出演者や被撮影者であることを特徴とする記録媒体。
【請求項５７】
請求項５５に記載の記録媒体において、
上記参加者は、前記オーディオ情報を取得する場に居た聴取者および／または前記映像情報を取得する場に居た観視者であることを特徴とする記録媒体。
【請求項５８】
請求項５５に記載の記録媒体において、
前記生体情報は、当該生体情報が生起されたタイミングに対応する前記オーディオ情報および／または映像情報に対応付けて記録されていることを特徴とする記録媒体。
【請求項５９】
請求項５５に記載の記録媒体において、
前記生体情報は、体動、筋電、体表温度、皮膚発汗、皮膚抵抗、脈、呼吸、マイクロバイブレーション、心電、心拍、血圧のうちの少なくとも一つであることを特徴とする記録媒体。